(57)【要約】【課題】本発明は、文字映像や重要な映像の視聴の妨げにならないように、他の映像を重畳し提示する。【解決手段】テレビジョン装置１は、原映像、字幕映像、重畳映像等にそれぞれ表示優先度を設定する。さらにテレビジョン装置１は、上記表示優先度を比較し、表示優先度の高い映像が表示優先度の低い映像に覆われることのないよう重畳映像を移動して、原映像のみによる、もしくは字幕映像が合成された原映像による背景映像と、重畳映像等とを重畳した映像を生成する。これによりテレビジョン装置１は、テレビジョン番組の映像情報による映像に他の映像を重畳し提示する際、それらの映像の表示優先度を比較し、タイミングや領域を調整して、他の映像を重畳させた映像を表示できる。かくして文字映像や重要な映像の視聴の妨げにならないように、他の映像を重畳し提示することができる。【選択図】図１２
2010124429.tif 000002
【特許請求の範囲】
【請求項１】
映像情報に基づく原映像と、当該映像情報に関連付けられた文字情報に基づく文字映像と、上記原映像及び上記文字映像に重畳する重畳映像とに対し、それぞれの重要性に応じた表示優先度を設定する表示優先度設定部と、
上記表示優先度を基に、上記表示優先度の低い映像が上記表示優先度の高い映像の視聴の妨げにならないよう、上記原映像に上記重畳映像を重畳する映像処理部と
を有する映像処理装置。
【請求項２】
上記映像処理部は、
上記表示優先度の高い映像が上記重畳映像であり、上記表示優先度の低い映像が上記文字映像であるとき、当該重畳映像を当該文字映像に重ならないよう移動させ上記原映像に重畳する
請求項１に記載の映像処理装置。
【請求項３】
上記映像処理部は、
上記表示優先度の高い映像が上記重畳映像であり、上記表示優先度の低い映像が上記原映像における上記文字映像の標準的な領域に指定されている映像である標準字幕領域表示映像であるとき、当該重畳映像を当該標準字幕領域表示映像に重ならないよう移動させ当該原映像に重畳する
請求項１に記載の映像処理装置。
【請求項４】
上記映像情報は、
提示すべき時間が指定された複数の映像が含まれ、
上記文字情報は、
上記映像情報に含まれる映像に対応した提示すべき時間が指定され、
上記映像処理部は、
上記映像情報に関連付けられた文字情報が存在するが、当該映像情報の映像に対応付けられた文字情報が存在しない時点で、当該映像情報に基づく原映像に重畳する上記重畳映像の表示優先度が低いとき、次に上記映像情報の場面に対応付けられた文字情報が存在する時点まで、当該原映像に対する当該重畳映像の重畳を待機する
請求項１に記載の映像処理装置。
【請求項５】
ユーザの操作に基づき、上記文字映像を上記原映像に重ねるか否かの指示を受け付ける操作部をさらに有し、
上記表示優先度設定部は、
上記ユーザにより、当該文字映像を当該原映像に重ねるよう指示されているとき、当該文字映像の表示優先度を高く設定する
請求項１に記載の映像処理装置。
【請求項６】
上記表示優先度設定部は、
上記映像情報に基づく原映像における上記文字映像の領域が、当該原映像における当該文字映像の標準的な領域以外に指定されているとき、当該標準字幕領域表示映像の表示優先度を高く設定する
請求項１に記載の映像処理装置。
【請求項７】
上記映像処理部は、
上記表示優先度の高い映像が上記文字映像であり、上記表示優先度の低い映像が上記重畳映像であるとき、当該文字映像が当該重畳映像を覆うよう、上記原映像に当該重畳映像を重畳する
請求項１に記載の映像処理装置。
【請求項８】
映像情報に基づく原映像と、当該映像情報に関連付けられた文字情報に基づく文字映像と、上記原映像及び上記文字映像に重畳する重畳映像とに、映像の重要性を表す表示優先度を設定する表示優先度設定ステップと、
上記表示優先度を基に、上記表示優先度の低い映像が上記表示優先度の高い映像の視聴の妨げにならないよう、上記原映像に上記重畳映像を重畳する映像処理ステップと
を有する映像処理方法。
【請求項９】
電子機器に対して、
映像情報に基づく原映像と、当該映像情報に関連付けられた文字情報に基づく文字映像と、上記原映像及び上記文字映像に重畳する重畳映像とに、映像の重要性を表す表示優先度を設定する表示優先度設定ステップと、
上記表示優先度を基に、上記表示優先度の低い映像が上記表示優先度の高い映像の視聴の妨げにならないよう、上記原映像に上記重畳映像を重畳する映像処理ステップと
を実行させる映像処理プログラム。
【発明の詳細な説明】
【技術分野】
【０００１】
本発明は映像処理装置、映像処理方法及び映像処理プログラムに関し、例えばテレビジョン装置に適用して好適なものである。
【背景技術】
【０００２】
従来、テレビジョン装置においては、テレビジョン放送局から放送されるテレビジョン番組の映像情報を基に映像を生成し、これをディスプレイ等に表示するようになされたものが広く普及している。
【０００３】
ここで、かかるテレビジョン装置のなかには、ディスプレイに表示する映像の画質（例えば明るさ、色合い等）をユーザの好みに応じて調整することができるものがある。
【０００４】
そのようなテレビジョン装置のなかには、画質調整メニューウィンドウ等を映像情報に基づく映像に重畳して表示し得るようになされたものがある（例えば、特許文献１参照）。
【特許文献１】特開２００６−０１３６１８公報（第６図）
【発明の開示】
【発明が解決しようとする課題】
【０００５】
ところでテレビジョン番組では、映像情報に基づく映像が表示されるだけでなく、字幕や文字スーパー等の文字情報に基づく文字映像や、その他重要な映像が表示されることがある。
【０００６】
ここで、テレビジョン装置が上記メニューウィンドウ等の映像を、映像情報による映像に重畳すると、当該メニューウィンドウ等の映像は予めユーザにより設定された位置に表示される。
【０００７】
そのときテレビジョン装置では、当該メニューウィンドウ等の映像が文字映像やその他重要な映像を視覚的に覆ってしまうため、ユーザの視聴の妨げになることがあるという問題があった。
【０００８】
本発明は以上の点を考慮してなされたもので、文字映像や重要な映像の視聴の妨げにならないように、他の映像を重畳し提示し得る映像処理装置、映像処理方法及び映像処理プログラムを提案しようとするものである。
【課題を解決するための手段】
【０００９】
かかる課題を解決するため本発明の映像処理装置においては、映像情報に基づく原映像と、当該映像情報に関連付けられた文字情報に基づく文字映像と、上記原映像及び上記文字映像に重畳する重畳映像とに対し、それぞれの重要性に応じた表示優先度を設定する表示優先度設定部と、上記表示優先度を基に、上記表示優先度の低い映像が上記表示優先度の高い映像の視聴の妨げにならないよう、上記原映像に上記重畳映像を重畳する映像処理部とを設けるようにした。
【００１０】
これにより、テレビジョン番組の映像情報による映像に他の映像を重畳し提示する際、それらの映像の表示優先度を比較し、タイミングや領域を調整して、他の映像を重畳させた映像を表示できる。
【発明の効果】
【００１１】
本発明によれば、テレビジョン番組の映像情報による映像に他の映像を重畳し提示する際、それらの映像の表示優先度を比較し、タイミングや領域を調整して、他の映像を重畳させた映像を表示できる。かくして文字映像や重要な映像の視聴の妨げにならないように、他の映像を重畳し得る映像処理装置、映像処理方法及び映像処理プログラムを実現できる。
【発明を実施するための最良の形態】
【００１２】
以下、図面について、本発明の一実施の形態を詳述する。なお、説明は以下の順序で行う。
１．実施の形態
２．他の実施の形態
【００１３】
＜１．実施の形態＞
［１−１．テレビジョン装置の回路構成］
図１において、テレビジョン装置１は、地上ディジタルテレビジョン放送等により放送されるテレビジョン番組を受信し、その映像、音声及び字幕をユーザに視聴させ得るようになされている。
【００１４】
因みに本実施の形態においては、文字情報として、ＡＲＩＢ（Association of Radio Industries and Businesses）規格ＳＴＤ−Ｂ２４における字幕について、説明する。
【００１５】
制御部２は、ＣＰＵ（Central Processing Unit）３を中心に構成されており、メモリ４に記憶されている各種プログラムを実行しテレビジョン装置１全体の動作を制御するようになされている。
【００１６】
またテレビジョン装置１は、操作部６を介してユーザによる操作を受け付ける。
【００１７】
操作部６は、ユーザによりリモートコントローラ５に対して操作がなされると、当該リモートコントローラ５から送信される赤外線信号を赤外線受光部（図示せず）を介して受光し、所定の操作信号に変換しシステムバス１８を介して制御部２へ供給する。このとき制御部２は、当該操作信号に応じて各種処理を実行するようになされている。
【００１８】
ここで、受信すべきテレビジョン放送局を切り換える操作、いわゆるチャンネルを切り換える操作がユーザによりリモートコントローラ５に対してなされた場合、制御部２は、操作部６から供給される操作信号を基に切り換えるべきチャンネルをチューナ８へ指示する。
【００１９】
このときチューナ８は、アンテナ７を介して受信したテレビジョン放送信号ＴＳのうち制御部２から指示されたチャンネルに相当する周波数帯を抽出する。さらに、チューナ８は、抽出した放送信号に対して復調処理やデスクランブル処理等を施すことにより放送チャンネルデータＴＤを得て、当該放送チャンネルデータＴＤを多重分離器９へ供給する。
【００２０】
多重分離器９は、指定されたチャンネルのデータを、映像データパケットＰＶ、音声データパケットＰＡ及び字幕データパケットＰＴ等に分離する。さらに、映像データパケットＰＶを映像デコーダ１３へ、音声データパケットＰＡを音声デコーダ１０へ、字幕データパケットＰＴを字幕デコーダ１６へ、またシステムバス１８を介して制御部２へ供給する。
【００２１】
音声デコーダ１０は、音声データパケットＰＡに対して、例えばＭＰＥＧ（Motion Pictures Expert Group）２−Ａｕｄｉｏ方式で復号化することにより音声データＤＡを生成し、音声処理部１１へ供給する。
【００２２】
音声処理部１１は、音声デコーダ１０から供給された音声データＤＡにＤ／Ａ（Digital / Analog）変換処理や増幅処理等を施すことにより出力音声信号ＳＡＯを生成し、当該出力音声信号ＳＡＯに基づく音声をスピーカ１２から放音させるようになされている。
【００２３】
一方映像デコーダ１３は、映像データパケットＰＶに対して、例えばＭＰＥＧ２−Ｖｉｄｅｏ方式で復号化することにより映像データＤＶを生成し、これを映像処理部１４へ供給する。
【００２４】
映像処理部１４は、映像データＤＶに所定の映像処理等を施すことにより出力映像信号ＳＶＯを生成し、ディスプレイ１５へ出力する。これに応じてディスプレイ１５は、出力映像信号ＳＶＯに基づく映像を表示するようになされている。
【００２５】
ところでテレビジョン番組には、字幕が含まれている番組と、含まれていない番組とが存在し、制御部２は、それらを字幕データパケットＰＴに基づき、テレビジョン番組ごとに判定する。
【００２６】
また字幕が含まれている番組であっても、テレビジョン装置１はユーザ操作により、当該字幕をディスプレイ１５に表示するか、非表示にするかを選択し得るようなされている。
【００２７】
ここで、テレビジョン放送の受信中に操作部６を介して字幕を表示する指示を受けた場合、制御部２は、字幕デコーダ１６により字幕データパケットＰＴから字幕データＤＴを抽出させ、これを映像処理部１４へ供給させる。
【００２８】
映像処理部１４は、字幕データＤＴを映像化した字幕映像を、映像データＤＶに基づく映像（以下、映像データＤＶのみに基づく映像を原映像とも呼ぶ）に合成することにより、出力映像信号ＳＶＯを生成してディスプレイ１５へ出力する。これにより制御部２は、字幕データＤＴに基づく字幕映像が原映像に重ねられた映像をユーザに鑑賞させることができる。
【００２９】
例えば映像デコーダ１３は、図２（Ａ）に示す原映像ＶＢ１を表す映像データＤＶを映像処理部１４へ供給する。ここで、操作部６を介して字幕を表示する指示を受けた場合、字幕デコーダ１６は、字幕データＤＴを映像処理部１４へ供給する。因みに字幕データＤＴは、文字列を文字コード等により表したものであり、映像処理部１４によって映像化された場合、図２（Ｂ）に示す字幕映像ＶＴ１となるものである。
【００３０】
映像処理部１４は、字幕データＤＴに基づく字幕映像ＶＴ１を、映像データＤＶに基づく原映像ＶＢ１に合成することにより、図２（Ｃ）に示す映像ＶＰ１を表す出力映像信号ＳＶＯを生成してディスプレイ１５へ出力する。
【００３１】
これにより制御部２は、字幕データＤＴに基づく字幕映像ＶＴ１が、映像データＤＶに基づく原映像ＶＢ１に合成された映像ＶＰ１をユーザに鑑賞させることができる。
【００３２】
このようにテレビジョン装置１は、原映像ＶＢ１に字幕映像ＶＴ１を合成させた映像ＶＰ１をディスプレイ１５に表示するか、又は字幕映像ＶＴ１を合成させず原映像ＶＢ１をディスプレイ１５に表示するかを、ユーザに選択させ得るようになされている。
【００３３】
ここで制御部２は、字幕映像ＶＴ１を原映像ＶＢ１のどの領域に表示させるかを、テレビジョン番組の放送信号における字幕データパケットＰＴに基づき、表示させる字幕ごとに逐次判定する。以下、テレビジョン番組の字幕映像を原映像に合成して表示する際の字幕映像の領域を字幕表示領域とも呼ぶ。
【００３４】
また制御部２は、テレビジョン番組の標準的な字幕表示領域、すなわち原映像ＶＢ１内における字幕映像ＶＴ１を合成させる標準的な領域（以下、標準字幕領域とも呼ぶ）を、字幕データパケットＰＴに基づき、テレビジョン番組ごとに判定する。
【００３５】
本実施の形態においては、図２（Ｃ）に示したように、上記標準字幕領域を、映像ＶＰ１における字幕映像ＶＴ１が合成されている領域、すなわち原映像ＶＢ１内の下側およそ４分の１を占める領域と設定する。以下、テレビジョン番組の原映像のみによる、もしくは字幕映像が合成された原映像による映像を背景映像とも呼ぶ。
【００３６】
またテレビジョン装置１は、上記背景映像に限らず、それ以外の映像をディスプレイ１５に表示できる。このような映像としては、例えばテレビジョン装置１が背景映像に重畳してディスプレイ１５に表示する、テレビジョン装置１のシステムエラー映像やメニューウィンドウ映像等（以下、背景映像に重畳する映像を重畳映像とも呼ぶ）がある。このことは、テレビジョン装置１がディスプレイ１５において背景映像を奥に位置させ、当該背景映像よりも手前に重畳映像を位置させて表示することを表している。
【００３７】
ここでは、上記重畳映像として、例えば画質調整メニューウィンドウ映像をディスプレイ１５に表示するようユーザから操作指示があった場合について述べる。この場合重畳映像データ生成部１７は、制御部２による制御に基づき、図３に示す画質調整メニューウィンドウ映像ＶＭを表す重畳映像データＤＳを生成し、当該重畳映像データＤＳを映像処理部１４へ供給する。
【００３８】
映像処理部１４は、当該重畳映像データＤＳに基づく画質調整メニューウィンドウ映像ＶＭを、背景映像としての原映像ＶＢ１に重畳することにより、図４に示す映像ＶＰ２を表す出力映像信号ＳＶＯを生成してディスプレイ１５へ出力する。これにより制御部２は、画質調整メニューウィンドウ映像ＶＭが背景映像としての原映像ＶＢ１に重畳された映像ＶＰ２をユーザに提示させることができる。
【００３９】
また上記重畳映像として、例えば制御部２がシステムエラー映像をディスプレイ１５に表示させる場合について述べる。この場合重畳映像データ生成部１７は、制御部２による制御に基づき図５に示すシステムエラー映像ＶＥを表す重畳映像データＤＳを生成し、当該重畳映像データＤＳを映像処理部１４へ供給する。
【００４０】
映像処理部１４は、当該重畳映像データＤＳに基づくシステムエラー映像ＶＥを背景映像としての原映像ＶＢ１に重畳することにより、図５に示す映像ＶＰ３を表す出力映像信号ＳＶＯを生成してディスプレイ１５へ出力する。これにより制御部２は、システムエラー映像ＶＥが背景映像としての原映像ＶＢ１に重畳された映像ＶＰ３をユーザに提示させることができる。
【００４１】
このようにテレビジョン装置１は、ユーザ操作又は制御部２による制御に基づき、背景映像にシステムエラー映像やメニューウィンドウ映像等の重畳映像を重畳し表示ができるようになされている。
【００４２】
以上のようにテレビジョン装置１は、テレビジョン番組を受信し、映像を生成してディスプレイ１５に表示することで当該テレビジョン番組をユーザに視聴させ得るようになされている。
【００４３】
また、テレビジョン装置１は、テレビジョン番組の映像に映像処理を施し字幕映像を合成させディスプレイ１５に表示することで、字幕が表示された映像ＶＰ１（図２（Ｃ））をユーザに視聴させ得るようになされている。
【００４４】
さらに、テレビジョン装置１は、背景映像に映像処理を施し重畳映像を重畳させディスプレイ１５に表示することで、システムエラー映像やメニューウィンドウ映像等の重畳映像が表示された映像ＶＰ２（図４）及び映像ＶＰ３（図５）をユーザに視聴させ得るようになされている。
【００４５】
［１−２．映像処理の説明］
次に、テレビジョン装置１により映像処理を行う際の映像処理手順について、図６〜図９のフローチャートを用いて説明する。テレビジョン装置１の制御部２は、後述するユーザ操作確認処理ＲＴ１及びシステム状態確認処理ＲＴ２を繰り返し行うことにより、ユーザからの操作を随時受け付けメニューウィンドウ映像等を表示したり、システム状態を随時確認しシステムエラー映像等を表示したりするようなされている。
【００４６】
［１−２−１．ユーザ操作確認処理］
テレビジョン装置１の制御部２は、ユーザ操作確認処理手順ＲＴ１（図６）を開始すると、ステップＳＰ１において、ユーザによる操作部６を介した操作の有無を確認し、ステップＳＰ２へ移る。
【００４７】
ステップＳＰ２において制御部２は、何らかの操作を受け付けたか否かを判定する。ここで否定結果が得られると、このことはユーザによる操作がなかったことを表しており、制御部２はステップＳＰ５へ移りユーザ操作確認処理ＲＴ１を終了する。
【００４８】
一方、ステップＳＰ２において肯定結果が得られると、制御部２は次のステップＳＰ３へ移る。
【００４９】
ステップＳＰ３において制御部２は、ユーザによる操作が、メニューウィンドウ映像等の重畳映像を表示する指示であったか否かを判定する。ここで肯定結果が得られると、制御部２は映像処理サブルーチンＳＲＴ２（詳しくは後述する）へ移って映像処理を行い、その後、次のステップＳＰ５へ移りユーザ操作確認処理ＲＴ１を終了する。
【００５０】
一方、ステップＳＰ３において否定結果が得られると、このことはユーザによる操作が重畳映像を表示する指示以外の他の操作指示であったことを表しており、このとき制御部２は操作指示に応じた処理を行い、ステップＳＰ５へ移りユーザ操作確認処理ＲＴ１を終了する。
【００５１】
［１−２−２．システム状態確認処理］
テレビジョン装置１の制御部２は、システム状態確認処理手順ＲＴ２（図７）を開始すると、ステップＳＰ１１においてテレビジョン装置１のシステム状態を確認し、次のステップＳＰ１２へ移る。
【００５２】
ＳＰ１２において制御部２は、確認したシステム状態を基にシステムエラー映像等の重畳映像を表示させるか否かを判定する。ここで否定結果が得られると、このことはユーザに提示すべき重畳映像がなかったことを表しており、制御部２はステップＳＰ１３へ移りシステム状態確認処理ＲＴ２を終了する。
【００５３】
一方、ステップＳＰ１２において肯定結果が得られると、制御部２は映像処理サブルーチンＳＲＴ２（詳しくは後述する）へ移って映像処理を行い、その後、次のステップＳＰ１３へ移りシステム状態確認処理ＲＴ２を終了する。
【００５４】
［１−２−３．映像処理］
次に、映像処理サブルーチンＳＲＴ２（図８、図９）について説明する。映像処理サブルーチンＳＲＴ２は、表示優先度設定処理段と映像生成処理段とから構成されている。
【００５５】
制御部２は、ユーザ操作確認処理手順ＲＴ１のステップＳＰ３において肯定結果が得られたとき、又はシステム状態確認処理手順ＲＴ２のステップＳＰ１２において肯定結果が得られたときに、映像処理サブルーチンＳＲＴ２を開始してステップＳＰ２１へ移る。
【００５６】
ステップＳＰ２１において制御部２は、ディスプレイ１５に出力し表示させる重畳映像に対応した表示優先度を、メモリ４に記憶された映像別優先度テーブルＴＢＬ（図１０）より選択し、次のステップＳＰ２２へ移る。
【００５７】
ここで表示優先度とは、現在制御部２がディスプレイ１５に出力し表示させようとしている映像のうち、どの映像を優先してユーザに視認しやすいよう表示させるかを示す数値である。本実施の形態においては、表示優先度は１〜４の数値を持ち、数値が大きい映像ほど表示優先度は高くなっている。
【００５８】
図１０に示したように、映像別優先度テーブルＴＢＬにおいて、表示優先度は原映像、システムエラー映像又は画質調整メニューウィンドウ映像等の映像ごとに予め設定されている。また、ユーザにより当該表示優先度を変更することも可能である。
【００５９】
ここで、最も低い表示優先度であるレベル１は、主に原映像の表示優先度に設定され、当該表示優先度が設定された映像は、ディスプレイ１５において常に最も奥に位置すべく表示されるようになされている。
【００６０】
またそれぞれの映像は、表示優先度と共に、当該映像がディスプレイ１５に表示される映像の画面全面において占める領域の左上及び右下の座標値を有している。本実施の形態において、当該座標値は、当該画面の左上を原点とし、右側に向かうほどＸ座標の値が最大値１０２４まで大きくなり、下側に向かうほどＹ座標の値が最大値７６８まで大きくなるようなされている。
【００６１】
ステップＳＰ２２（図８）において制御部２は、原映像の表示優先度をレベル１に設定する。このことは、制御部２が、原映像ＶＢ１の表示優先度を最も低く設定することを表している。
【００６２】
ステップＳＰ２３において制御部２は、テレビジョン番組に字幕が含まれているか否かを、字幕データパケットＰＴに基づき判定する。ここで肯定結果が得られると、制御部２は次のステップＳＰ２４へ移る。
【００６３】
一方、ステップＳＰ２３において否定結果が得られると、このことはテレビジョン番組には字幕が含まれていないため、字幕映像の表示優先度を設定する必要がないことを表している。このとき制御部２は表示優先度設定処理段を終了し、ステップＳＰ３４へ移る。
【００６４】
制御部２は、後の映像生成処理段（詳しくは後述する）における一連の処理を経て、ステップＳＰ３８において、字幕映像ＶＴ１が合成されていない原映像ＶＢ１を表す出力映像信号ＳＶＯをディスプレイ１５に出力する。
【００６５】
ステップＳＰ２４において制御部２は、現在表示可能な字幕があるか否か判定する。ここで否定結果が得られると、制御部２はステップＳＰ２５へ移る。このことは、テレビジョン番組には字幕が含まれているにも関わらず現在表示可能な字幕がないため、映像自体に視覚的に重要な情報が含まれている可能性があることを表している。
【００６６】
ここで、表示する字幕がないというのは、ユーザが操作により字幕のディスプレイ１５への表示を無効にし、非表示に設定していることを表すのではない。すなわち、テレビジョン番組に字幕が含まれていても、当該テレビジョン番組の開始から終了まで絶えず表示可能な字幕があることは稀であり、当該テレビジョン番組のうちの表示可能な字幕がない状態であることを示す。
【００６７】
ステップＳＰ２５において制御部２は、重畳映像の表示優先度が、最高レベルであるレベル４か否か、すなわちいかなる映像が表示されているかに関わらず、ディスプレイ１５において当該重畳映像を最前面に位置すべく表示させるか否かを判定する。この場合の重畳映像としては、例えばシステムエラー映像がある。
【００６８】
ステップＳＰ２５において肯定結果が得られると、この場合、上記重畳映像はディスプレイ１５において最前面に位置すべく表示させる映像であるため、制御部２はステップＳＰ３４へ移り、映像生成処理段へ入る。
【００６９】
制御部２は、映像生成処理段（詳しくは後述する）における一連の処理を経て、ステップＳＰ３８において、図５に示す、システムエラー映像ＶＥが背景映像としての原映像ＶＢ１よりも前面に位置する映像ＶＰ３を表す出力映像信号ＳＶＯを、ディスプレイ１５に出力する。
【００７０】
ステップＳＰ２５において否定結果が得られると、この場合、上記重畳映像はディスプレイ１５において最前面に位置すべく表示させる映像ではないため、制御部２はステップＳＰ２４へ戻って、現在表示可能な字幕があるか否かを判定する。
【００７１】
ステップＳＰ２４において肯定結果が得られると、このことは現在表示可能な字幕があるため、映像自体に視覚的に重要な情報がある可能性が低減したことを表わしており、このとき制御部２はステップＳＰ２６へ移る。
【００７２】
このように制御部２は、現在表示可能な字幕がなく、かつシステムエラー映像等の重要性が高い重畳映像を表示させるわけではない場合、次に字幕を表示させるときまで、すなわち映像自体に重要な情報が含まれなくなるまで、重畳映像の表示を待機する。かくして制御部２は重畳映像を表示させるタイミングを制御するようなされている。
【００７３】
一方、ステップＳＰ２４において肯定結果が得られると、このことは、原映像に合成して表示すべき字幕映像があること表しており、このとき制御部２は次のステップＳＰ２６へ移る。
【００７４】
ステップＳＰ２６において制御部２は、字幕データパケットＰＴに基づき、字幕表示領域が標準字幕領域に指定されているか否かを判定する。上述したように、標準字幕領域は、受信しているテレビジョン番組の字幕データパケットＰＴにより指定されている。
【００７５】
ステップＳＰ２６において肯定結果が得られると、このことは、現在表示する字幕があり、かつ字幕表示領域が標準字幕領域に指定されていることを表している。このとき制御部２はステップＳＰ２７へ移る。
【００７６】
ステップＳＰ２７において制御部２は、ユーザ操作により字幕のディスプレイ１５への表示が有効に設定されているか否かを判定する。ここで肯定結果が得られると、ユーザに字幕を見る意思があるため字幕映像の重要性は高いと判断でき、このとき制御部２は、ステップＳＰ２８へ移る。
【００７７】
ステップＳＰ２８において制御部２は、字幕映像の表示優先度をレベル３に設定し、ステップＳＰ３４へ移って映像生成処理段へ入る。
【００７８】
この場合、テレビジョン番組には現在表示可能な字幕があり、かつ字幕表示領域は標準字幕領域に指定されており、さらにテレビジョン装置１では当該字幕を表示するように設定されている。このため制御部２は、映像処理部１４により、背景映像として映像ＶＰ１を表す出力映像信号ＳＶＯを生成する。
【００７９】
以下、重畳映像として画質調整メニューウィンドウ映像ＶＭが選択されているとする。さらに表示優先度設定例として、映像別表示優先度テーブルＴＢＬより重畳映像の表示優先度はレベル４に、原映像ＶＢ１の表示優先度はレベル１に、字幕映像ＶＴ１の表示優先度はレベル３に設定されているとして映像生成処理段を説明する。
【００８０】
ステップＳＰ３４において制御部２は、ディスプレイ１５に表示される映像の画面全面において重畳映像が占める領域（以下、重畳映像領域とも呼ぶ）と、当該重畳映像以外の映像、すなわち背景映像ＶＰ１の領域とが重なっている重複部分の有無の確認を行い、ステップＳＰ３５へ移る。上述した表示優先度設定例においては、図１１に示す映像ＶＳ１のように、重畳映像としての画質調整メニューウィンドウ映像ＶＭの領域と、背景映像ＶＰ１に含まれる字幕映像ＶＴ１の領域とで、重なっている重複部分が形成されている。
【００８１】
ここで、上述したように、最も低い表示優先度であるレベル１が設定された映像は、ディスプレイ１５において常に最も奥に位置すべく表示されるようになされている。
【００８２】
ステップＳＰ３５において制御部２は、ステップＳＰ３４において重畳映像領域と重なっている重複部分があると確認された全ての映像の表示優先度が、レベル１であるか否かを判定する。ここで肯定結果が得られると、このことは上記背景映像ＶＰ１はディスプレイ１５において常に最も奥に位置すべく表示される映像であるため、上記重畳映像領域を移動させる必要がないことを表わしており、このとき制御部２は、ステップＳＰ３８へ移る。
【００８３】
一方ステップＳＰ３５において否定結果が得られると、このことは重畳映像領域を移動させる必要がある可能性があることを表わしており、制御部２はステップＳＰ３６へ移る。上述した表示優先度設定例においては、字幕映像ＶＴ１の表示優先度はレベル３であり、レベル１ではないため、制御部２はステップＳＰ３６へ移る。
【００８４】
ステップＳＰ３６において制御部２は、重畳映像の表示優先度が、ステップＳＰ３４において重畳映像領域と重なっている重複部分があると確認された映像の表示優先度よりも高いか否かを判定する。ここで否定結果が得られると、このことは当該重畳映像が重畳映像以外の映像に覆われてしまっても構わず、重畳映像領域を移動させる必要がないことを表わしており、このとき制御部２はステップＳＰ３８へ移る。ここで、映像が覆うとは、ある映像の領域が、他の映像の領域の一部又は全体と重なるようにディスプレイ１５において当該他の映像の手前に位置すべく表示されることをいう。
【００８５】
一方ステップＳＰ３６において肯定結果が得られると、このことは重畳映像領域を移動させる必要があることを表わしており、制御部２はステップＳＰ３７へ移る。上述した表示優先度設定例においては、重畳映像としての画質調整メニューウィンドウ映像ＶＭの表示優先度はレベル４であり、字幕映像ＶＴ１の表示優先度であるレベル３よりも高いため、制御部２はステップＳＰ３７へ移る。
【００８６】
ステップＳＰ３７において制御部２は、重畳映像領域を、ステップＳＰ３４において重畳映像領域と重なっている重複部分があると確認された映像の領域と重ならないよう移動させる。
【００８７】
ステップＳＰ３７の処理を行うと制御部２はステップＳＰ３４へ戻り、重畳映像領域と背景映像の領域とが重なっている重複部分の有無の確認を再び行い、ステップＳＰ３５へ移る。上述した表示優先度設定例においては、図１２に示す映像ＶＳ２のように、重畳映像としての画質調整メニューウィンドウ映像ＶＭの領域と、背景映像ＶＰ１に含まれる原映像ＶＢ１の領域とで、重なっている領域がある。
【００８８】
ステップＳＰ３５において制御部２は、ステップＳＰ３４において重畳映像領域と重なっている重複部分があると確認された全ての映像の表示優先度が、レベル１であるか否かを再び判定する。ここで肯定結果が得られると、このことは、上述したように当該背景映像ＶＰ１はディスプレイ１５において常に最も奥に位置すべく表示されるべき映像であるため、上記重畳映像領域を移動させる必要がないことを表わしており、このとき制御部２は、ステップＳＰ３８へ移る。上述した表示優先度設定例においては、原映像ＶＢ１の表示優先度はレベル１であるため、制御部２はステップＳＰ３８へ移る。
【００８９】
ステップＳＰ３８において映像処理部１４は、制御部２による制御に基づき、表示優先度の高いレベルの映像がディスプレイ１５でより手前に位置すべく表示されるよう所定の映像処理を行うことにより、出力映像信号ＳＶＯを生成し、ディスプレイ１５に出力する。上述した表示優先度設定例においては、映像ＶＳ２がディスプレイ１５に表示される。重畳映像としての画質調整メニューウィンドウ映像ＶＭの表示優先度は、字幕映像ＶＴ１の表示優先度よりも高いため、当該重畳映像が、字幕映像ＶＴ１と重ならないように表示されている。
【００９０】
ステップＳＰ３８での処理の後、制御部２はステップＳＰ３９へ移り、映像処理サブルーチンＳＲＴ２を終了し、ユーザ操作確認処理手順ＲＴ１又はシステム状態確認処理手順ＲＴ２へ戻る。
【００９１】
一方、ステップＳＰ２７において否定結果が得られると、このことはユーザ操作により字幕映像のディスプレイ１５への表示が無効とされ非表示に設定されていることを表している。すなわち、現在表示可能な字幕があるにも関わらず、ユーザが自らの意思により当該字幕をディスプレイ１５に表示させない設定としており、当該字幕映像の重要性は低いと判断できる。このとき制御部２はステップＳＰ２９へ移る。
【００９２】
ステップＳＰ２９において制御部２は、字幕映像の表示優先度をレベル１に設定し、ステップＳＰ３４へ移って映像生成処理段へ入る。
【００９３】
この場合、テレビジョン番組には現在表示可能な字幕があり、字幕表示領域は標準字幕領域に指定されているが、テレビジョン装置１では当該字幕を表示しないように設定されている。このため制御部２は、映像処理部１４により、背景映像としての原映像ＶＢ１を表す出力映像信号ＳＶＯを生成する。
【００９４】
制御部２は映像生成処理段において、上述した一連の処理を行い、さらに次のステップＳＰ３８へ移りディスプレイ１５に出力映像信号ＳＶＯを出力し表示させる。
【００９５】
ステップＳＰ３８において制御部２は、映像ＶＰ２をディスプレイ１５に出力し表示させる。字幕映像ＶＴ１の表示優先度はレベル１であるため、制御部２は、重畳映像領域を移動させることなく、重畳映像としての画質調整メニューウィンドウ映像ＶＭを背景映像としての原映像ＶＢ１に重畳させる。
【００９６】
また、ステップＳＰ２６において否定結果が得られると、このことは、現在表示可能な字幕があり、かつ字幕表示領域が標準字幕領域以外に指定されていることを表している。このとき制御部２はステップＳＰ３０へ移る。
【００９７】
ここで、字幕表示領域が標準字幕領域以外に指定されていることは、標準字幕領域には、字幕とは異なる別の視覚的に重要な映像があるために、当該領域が指定されていないと考えられる。よって、標準字幕領域に表示されている映像（以下、これを標準字幕領域表示映像とも呼ぶ）の重要性は高いと判断できる。
【００９８】
ステップＳＰ３０において制御部２は、当該標準字幕領域表示映像の表示優先度をレベル３に設定し、ステップＳＰ３１へ移る。
【００９９】
ステップＳＰ３１において制御部２は、ユーザ操作により字幕のディスプレイ１５への表示が有効に設定されているか否かをステップＳＰ２７と同様に判定する。ここで肯定結果が得られると、ユーザに字幕を見る意思があるため当該字幕映像の重要性は高いと判断でき、このとき制御部２は、ステップＳＰ３２へ移る。
【０１００】
ステップＳＰ３２において制御部２は、字幕映像の表示優先度をレベル３に設定し、ステップＳＰ３４へ移って映像生成処理段へ入る。
【０１０１】
この場合、テレビジョン番組には現在表示可能な字幕があり、かつ字幕表示領域は標準字幕領域以外に指定されており、さらにテレビジョン装置１では当該字幕を表示するように設定されている。このため制御部２は、映像処理部１４により、背景映像として図１３に示す映像ＶＰ４を表す出力映像信号ＳＶＯを生成する。
【０１０２】
制御部２は映像生成処理段において、上述した一連の処理を行い、さらに次のステップＳＰ３８へ移りディスプレイ１５に出力映像信号ＳＶＯを出力し表示させる。
【０１０３】
ステップＳＰ３８において制御部２は、図１４に示す映像ＶＳ３をディスプレイ１５に出力し表示させる。このとき、重畳映像としての画質調整メニューウィンドウ映像ＶＭの表示優先度は、字幕映像ＶＴ２の表示優先度及び標準字幕領域表示映像ＶＩの表示優先度よりも高くなっている。このため制御部２は、画質調整メニューウィンドウ映像ＶＭを、字幕映像ＶＴ２及び標準字幕領域表示映像ＶＩと重ならないよう、背景映像としての映像ＶＰ４に重畳させる。
【０１０４】
一方、ステップＳＰ３１において否定結果が得られると、このことはユーザ操作により字幕映像のディスプレイ１５への表示が無効とされ非表示に設定されていることを表している。すなわち、現在表示可能な字幕があるにも関わらず、ユーザが自らの意思により当該字幕をディスプレイ１５に表示させない設定としており、当該字幕映像の重要性は低いと判断できる。このとき制御部２はステップＳＰ３３へ移る。
【０１０５】
ステップＳＰ３３において制御部２は、字幕映像の表示優先度をレベル１に設定し、ステップＳＰ３４へ移って映像生成処理段へ入る。
【０１０６】
この場合、テレビジョン番組には現在表示可能な字幕があり、かつ字幕表示領域は標準字幕領域以外に指定されているが、テレビジョン装置１では当該字幕を表示しないように設定されている。このため制御部２は、映像処理部１４により、背景映像として原映像ＶＢ２を表す出力映像信号ＳＶＯを生成する。
【０１０７】
制御部２は映像生成処理段において、上述した一連の処理を行い、さらに次のステップＳＰ３８へ移りディスプレイ１５に出力映像信号ＳＶＯを出力し表示させる。
【０１０８】
ステップＳＰ３８において制御部２は、図１５に示す映像ＶＳ４をディスプレイ１５に出力し表示させる。このとき、重畳映像としての画質調整メニューウィンドウ映像ＶＭの表示優先度は、標準字幕領域表示映像ＶＩの表示優先度より高くなっている。このため制御部２は、画質調整メニューウィンドウ映像ＶＭを、標準字幕領域表示映像ＶＩと重ならないよう、背景映像としての原映像ＶＢ２に重畳させる。
【０１０９】
このように、表示優先度設定処理段では、制御部２は原映像、字幕映像、重畳映像等の重要性を判断し、それらに基づいてそれぞれ表示優先度を設定するようなされている。また映像生成処理段では、制御部２は表示優先度設定処理段にて設定した表示優先度に基づいて、重畳映像との重複部分を有する映像のうち、重畳映像よりも表示優先度が低い映像と領域が重複しなくなるよう、重畳映像を移動させるようなされている。
【０１１０】
［１−３．動作及び効果］
以上の構成において、テレビジョン装置１は、テレビジョン番組を受信し所定の信号処理を施して、その映像、音声及び字幕をディスプレイ１５に表示する。
【０１１１】
テレビジョン装置１の制御部２は、原映像のみによる、もしくは字幕映像が合成された原映像による背景映像に重畳して重畳映像を提示する際、映像処理サブルーチンＳＲＴ２に従い、原映像、字幕映像、重畳映像等にそれぞれ表示優先度を設定する。
【０１１２】
さらに映像処理部１４は、表示優先度に基づいて、表示優先度の高い映像が低い映像に覆われることがないよう移動させ、背景映像と重畳映像等を重畳し、出力映像信号ＳＶＯをディスプレイ１５へ出力する。
【０１１３】
これによりテレビジョン装置１は、重要性が高い映像を、重要性が低い映像により妨げられることなくユーザに視聴させることができる。
【０１１４】
また制御部２は、テレビジョン番組には字幕が含まれているが、現在表示可能な字幕がなく、かつシステムエラー映像等の重要性が高い重畳映像を表示させるわけではない場合、次に字幕を表示させるときまで、すなわち原映像自体に重要な情報が含まれなくなるまで、重畳映像の表示を待機する。
【０１１５】
これによりテレビジョン装置１は、重畳映像と原映像の重要性に応じて、重畳映像を表示するタイミングを制御することができる。
【０１１６】
また制御部２は、テレビジョン番組には字幕が含まれており、かつ現在表示可能な字幕があり、かつユーザ操作により字幕映像をディスプレイ１５に表示させるよう設定している場合がある。
【０１１７】
この場合制御部２は、字幕表示領域が標準字幕領域に指定されているか否か、すなわち字幕映像を原映像のどの領域に合成させるかに関わらず、ユーザには字幕を見る意思があるため、当該字幕映像の重要性は高いと判断し、当該字幕映像の表示優先度を高く設定するようにした。
【０１１８】
ここで、重畳映像の表示優先度が当該字幕映像の表示優先度よりも高い場合、制御部２は当該重畳映像を移動させた上で、背景映像に重畳するようにした。
【０１１９】
これによりテレビジョン装置１は、当該字幕映像を、当該重畳映像により覆ってしまうことなくディスプレイ１５に表示できる。さらにテレビジョン装置１は、当該字幕映像よりも重要性が高い当該重畳映像を、当該字幕映像により覆ってしまうことなくディスプレイ１５に表示することができる。
【０１２０】
一方、当該重畳映像の表示優先度が当該字幕映像の表示優先度よりも低いか又は同等である場合、制御部２は当該重畳映像を移動させることなく、背景映像に重畳するようにした。
【０１２１】
これによりテレビジョン装置１は、当該重畳映像よりも重要性が高い当該字幕映像を、当該重畳映像により覆ってしまうことなくディスプレイ１５に表示することができる。
【０１２２】
さらに制御部２は、テレビジョン番組には字幕が含まれており、かつ現在表示可能な字幕があるにも関わらず、ユーザ操作により字幕映像をディスプレイ１５に表示させないよう設定している場合がある。
【０１２３】
この場合制御部２は、字幕表示領域が標準字幕領域に指定されているか否か、すなわち字幕映像を原映像のどの領域に合成させるかに関わらず、ユーザには字幕を見る意思がないため、当該字幕映像の重要性は低いと判断し、当該字幕映像の表示優先度を低く設定するようにした。
【０１２４】
ここで、重畳映像の表示優先度が当該字幕映像の表示優先度よりも高い場合、制御部２は当該重畳映像を移動させることなく、背景映像に重畳するようにした。
【０１２５】
これによりテレビジョン装置１は、当該字幕映像よりも重要性が高い当該重畳映像を、移動させることなくディスプレイ１５に表示することができる。
【０１２６】
さらに制御部２は、テレビジョン番組には字幕が含まれており、かつ現在表示可能な字幕があり、かつ字幕表示領域が標準字幕領域以外に指定されていると判定する場合がある。
【０１２７】
この場合制御部２は、ユーザ操作により字幕映像をディスプレイ１５に表示させるか否かに関わらず、原映像の標準字幕領域には字幕映像とは異なる別の視覚的に重要な映像があるために、当該標準字幕領域が指定されていないとみなし、標準字幕領域表示映像の表示優先度を高く設定するようにした。
【０１２８】
ここで、重畳映像の表示優先度が当該標準字幕領域表示映像の表示優先度よりも高い場合、制御部２は当該重畳映像を移動させた上で、背景映像に重畳するようにした。
【０１２９】
これによりテレビジョン装置１は、原映像に含まれる重要な映像を、重畳映像により覆ってしまうことなくディスプレイ１５に表示できる。さらにテレビジョン装置１は、原映像に含まれる重要な映像よりも重要性が高い当該重畳映像を、当該原映像に含まれる重要な映像により覆ってしまうことなくディスプレイ１５に表示できる。
【０１３０】
かくして、テレビジョン装置１は、ユーザの字幕を見る意思の有無に応じて、字幕を見る意思がある場合は、字幕を覆ってしまうことなく、メニューウィンドウ映像等の重畳映像をディスプレイ１５に表示できる。
【０１３１】
さらに、重畳映像の表示優先度と、字幕映像の表示優先度とが同等である場合は、制御部２は、字幕映像を優先させてディスプレイ１５に表示させることとした。  
【０１３２】
従って、テレビジョン装置１は、例えば聴覚に障害がありテレビジョン番組の情報を字幕映像から得る機会が多いユーザに対しても、字幕映像が他の映像に覆われることのないよう、快適にテレビジョン番組を視聴させることができる。
【０１３３】
さらに制御部２は、重畳映像としてのメニューウィンドウ等の映像を、ユーザ操作により非表示にしたり表示領域を変更したりするだけでなく、当該重畳映像が、字幕映像や重要な映像を覆って隠してしまわないよう重畳映像を移動させてディスプレイ１５に表示させる。
【０１３４】
これによりテレビジョン装置１は、ユーザが重畳映像を表示させた際、当該重畳映像が字幕映像や重要な映像を覆わないようにユーザ自らの操作により重畳映像を移動させるなどの面倒な手間を要することがなく、テレビジョン番組を快適に視聴させることができる。
【０１３５】
以上の構成によれば、テレビジョン装置１は、原映像、字幕映像、重畳映像等にそれぞれ表示優先度を設定する。さらにテレビジョン装置１は、上記表示優先度を比較し、表示優先度の高い映像が表示優先度の低い映像に覆われることのないよう重畳映像を移動して、原映像のみによる、もしくは字幕映像が合成された原映像による背景映像と、重畳映像等とを重畳した映像を生成する。これによりテレビジョン装置１は、テレビジョン番組の映像情報による映像に他の映像を重畳し提示する際、それらの映像の表示優先度を比較し、タイミングや領域を調整して、他の映像を重畳させた映像を表示できる。かくして文字映像や重要な映像の視聴の妨げにならないように、他の映像を重畳し提示することができる。
【０１３６】
＜２．他の実施の形態＞
なお上述した実施の形態においては、重畳映像領域が、重畳映像以外の映像の領域と重ならないよう重畳映像領域を移動させた場合について述べたが、本発明はこれに限らない。例えば、一部の領域が重なる、或いは領域のサイズを変更する、或いは表示優先度が高い方の映像を半透明にして表示する、或いは映像に透過度をつけ、表示優先度に応じて当該透過度を変化させて表示する等、表示優先度が高い映像からユーザに視認されやすくなされていれば、種々の表示の手法を用いて良い。
【０１３７】
また上述した実施の形態においては、表示優先度として１〜４の数値を設けたが、本発明はこれに限らず、表示優先度のレベルをより細かく分けてもよく、あるいはより粗く分けても良い。
【０１３８】
さらに上述した実施の形態においては、文字情報として、ＡＲＩＢ規格ＳＴＤ−Ｂ２４における字幕について述べたが、本発明はこれに限らない。例えば、上記規格における文字スーパーや、その他種々の規格における文字情報についても適用することができる。文字スーパーについて適用する場合、映像処理サブルーチンＳＲＴ２におけるステップＳＰ２３（図８）は、常に肯定結果が得られるものとし、文字スーパーのデータを抽出するには、図１の字幕デコーダ１６を用いれば良い。
【０１３９】
さらに上述した実施の形態においては、重畳映像としての画質調整メニューウィンドウ映像ＶＭの表示優先度がレベル４に設定されている場合について述べたが、本発明ではこれに限らない。例えば、フローチャート図９に示すステップＳＰ３４において、当該画質調整メニューウィンドウ映像ＶＭの表示優先度がレベル２に、原映像ＶＢ１の表示優先度はレベル１に、字幕映像ＶＴ１の表示優先度はレベル３に設定されている場合について述べる。
【０１４０】
この場合ステップＳＰ３６において制御部２は、当該画質調整メニューウィンドウ映像ＶＭの表示優先度が、字幕映像ＶＴ１の表示優先度よりも低いと判定する。このことは、当該重畳映像としての画質調整メニューウィンドウ映像ＶＭが字幕映像ＶＴ１に覆われてしまっても構わず、重畳映像領域を移動させる必要がないことを表わしている。このとき制御部２はステップＳＰ３８へ移り、図１６に示す映像ＶＳ５を表す出力映像信号ＳＶＯを、ディスプレイ１５に出力する。
【０１４１】
これによりテレビジョン装置１は、当該重畳映像よりも重要性が高い当該字幕映像を、当該重畳映像により覆ってしまうことなくディスプレイ１５に表示できる。
【０１４２】
さらに上述した実施の形態においては、受信しているテレビジョン番組について映像処理を行う場合について述べたが、本発明ではこれに限らない。例えば、受信したテレビジョン番組を、ハードディスクドライブ等の記録媒体に記録（すなわち録画）し、この録画したテレビジョン番組を再生する際に映像処理を行っても良い。この場合、少なくとも映像情報と字幕情報とがそれぞれ記録されていれば良い。
【０１４３】
さらに上述した実施の形態においては、本発明をテレビジョン装置１に適用した場合について述べたが、本発明はこれに限らない。例えば衛星放送のチューナやいわゆるセットトップボックス等、種々の放送波を受信する種々の放送受信装置に適用するようにしても良い。この場合、例えば外部のテレビジョン装置やディスプレイ等に接続して出力映像信号ＳＶＯを供給することにより、その映像を表示すれば良い。
【０１４４】
さらに上述した実施の形態においては、本発明をテレビジョン装置１に適用した場合について述べたが、本発明はこれに限らない。例えば、映像コンテンツのストリーミング配信サーバ又はビデオサーバ等に接続され映像コンテンツの受信や再生等を行うコンテンツプレーヤ等に本発明を適用するようにしても良い。この場合、例えばパーソナルコンピュータや携帯電話機等の情報処理装置において所定のコンテンツ再生プログラムを実行させたものであっても良い。
【０１４５】
さらに上述した実施の形態においては、重畳映像として、システムエラー映像やメニューウィンドウ映像について述べたが、本発明はこれに限らず、例えばピクチャオンピクチャのように他のテレビジョン番組を表示する等、背景映像に対して重畳し表示する映像であれば良い。
【０１４６】
さらに上述した実施の形態においては、字幕データパケットＰＴに基づき、制御部２は標準字幕領域をテレビジョン番組ごとに判定した場合について述べたが、本発明はこれに限らない。例えば、制御部２は、表示する字幕ごとに逐次判定する字幕表示領域のうち、字幕表示領域と判定した回数が多い領域を標準字幕領域としても良い。
【０１４７】
さらに上述した実施の形態においては、字幕データパケットＰＴに基づき、テレビジョン番組ごとに字幕の有無を判定した場合についてが、本発明はこれに限らない。例えば、放送波からＥＰＧ（Electronic Program Guide）情報を抽出し、字幕の有無を判定するようにしても良い。
【０１４８】
さらに上述した実施の形態においては、リモートコントローラ５を介してテレビジョン装置１を操作した場合について述べたが、本発明はこれに限らず、操作部６をユーザが直接操作することによりテレビジョン装置１に指示を与えるようにしても良い。
【０１４９】
さらに上述した実施の形態においては、表示優先度設定部としての制御部２と、映像処理部としての映像処理部１４とによって映像処理装置としてのテレビジョン装置１を構成する場合について述べたが、本発明はこれに限らず、その他種々の回路構成でなる表示優先度設定部と映像処理部とによって映像処理装置を構成するようにしても良い。
【産業上の利用可能性】
【０１５０】
本発明は、テレビジョン装置でも利用できる。
【図面の簡単な説明】
【０１５１】
【図１】テレビジョン装置の回路構成を示すブロック図である。
【図２】表示映像の例（１）を示す略線図である。
【図３】画質調整メニューウィンドウ映像を示す略線図である。
【図４】表示映像の例（２）を示す略線図である。
【図５】表示映像の例（３）を示す略線図である。
【図６】ユーザ操作確認処理手順を示すフローチャートである。
【図７】システム状態確認処理手順を示すフローチャートである。
【図８】映像処理の処理手順（１）を示すフローチャートである。
【図９】映像処理の処理手順（２）を示すフローチャートである。
【図１０】映像別表示優先度テーブルを示す略線図である。
【図１１】表示映像の例（４）を示す略線図である。
【図１２】表示映像の例（５）を示す略線図である。
【図１３】表示映像の例（６）を示す略線図である。
【図１４】表示映像の例（７）を示す略線図である。
【図１５】表示映像の例（８）を示す略線図である。
【図１６】表示映像の例（９）を示す略線図である。
【符号の説明】
【０１５２】
１……テレビジョン装置、２……制御部、３……ＣＰＵ、４……メモリ、５……リモートコントローラ、６……操作部、８……チューナ、９……多重分離器、１３……映像デコーダ、１４……映像処理部、１５……ディスプレイ、１６……字幕デコーダ、１７……重畳映像データ生成部、ＰＶ……映像データパケット、ＰＴ……字幕データパケット、ＤＶ……映像データ、ＤＴ……字幕データ、ＤＳ……重畳映像データ、ＳＶＯ……出力映像信号。
【図１】
2010124429.tif 000003
【図２】
2010124429.tif 000004
【図３】
2010124429.tif 000005
【図４】
2010124429.tif 000006
【図５】
2010124429.tif 000007
【図６】
2010124429.tif 000008
【図７】
2010124429.tif 000009
【図８】
2010124429.tif 000010
【図９】
2010124429.tif 000011
【図１０】
2010124429.tif 000012
【図１１】
2010124429.tif 000013
【図１２】
2010124429.tif 000014
【図１３】
2010124429.tif 000015
【図１４】
2010124429.tif 000016
【図１５】
2010124429.tif 000017
【図１６】
2010124429.tif 000018